(57)【要約】      （修正有）【課題】防護具さらには内部の遮へい素材を傷めず、簡便かつ確実に線量計を装着使用することができる放射線防護具を提供する。【解決手段】内部に放射線遮へい層を備えるとともに、甲状腺の部位を覆う甲状腺防護部３と身体に装着するための首巻部５とを備えた放射線防護具１であって、放射線防護具の首巻部ないしその近傍の外側に、線量計が保持されるベルトループ状、フラップ状、又はポケット状の線量計装着部１０を設けてなる。線量計装着部は、左右両側に設けられている。【選択図】図１
0003223602.tif 000002
【実用新案登録請求の範囲】
【請求項１】
内部に放射線遮へい層を備えるとともに、甲状腺の部位を覆う甲状腺防護部と身体に装着するための首巻部とを備えた放射線防護具において、
前記放射線防護具の前記首巻部ないしその近傍の外側に、線量計が保持される線量計装着部を設けてなる、放射線防護具である。
【請求項２】
前記線量計装着部は、左右両側に設けられている請求項１に記載の放射線防護具。
【請求項３】
前記線量計装着部は、ベルトループ状、フラップ状又はポケット状に形成されてなる請求項１又は２に記載の放射線防護具。
【考案の詳細な説明】
【技術分野】
【０００１】
本考案は、放射線防護具、詳しくは、診療放射線従事者等が放射線防護のために着用する放射線防護具に関する。
【背景技術】
【０００２】
診療放射線従事者は、放射線被ばくによる身体への健康被害を避けるため、高い遮へい性を有する鉛等を含有した塩化ビニル樹脂等の放射線遮へいシートを用いて製作された放射線防護衣を着用して作業を行っている。
医療用の放射線防護衣としては、従来、コート型とエプロン型のものが知られている。また、甲状腺を保護するネックガードが知られている。
【０００３】
ところで、放射線業務従事者の線量限度は、放射線障害防止法・医療法施行規則等により定められている。医療現場で行われているＸ線診療の際には、多くの場合にＸ線防護衣（放射線防護衣）を着用しての作業となるところ、全身に対し不均等に被ばくする状態「不均等被ばく」を管理するため、基本部位（男性は胸部、女性は腹部）と頭頸部の２箇所に被ばく線量計を装着するように定められている。
基本部位は、Ｘ線防護衣の内側で測定することから、白衣や術衣のそれぞれ（胸部や腹部）のポケットにバッジ式の線量計（ガラスバッジ）を装着することが一般的であるが、頭頸部の装着方法及び部位は、白衣や術衣の襟にバッジ式の線量計を装着するか、甲状腺用防護具（ネックガード）が着用される場合には、その防護具にバッジ式の線量計を装着することが行われている。
ここで、図６に例示するように、バッジ式の線量計２０は、その裏面に被服に取り付けるためのバネ式のクリップ部２１が設けられたものがあり、甲状腺用防護具にバッジ式の線量計２０を装着する場合、その線量計の裏面に設けられたクリップ部２１の挟持部である爪状ギザギザの保持部分２２，２３で甲状腺用防護具の素材を傷め、さらには、内部の遮へい素材にも損傷を与えることが危惧され、防護の安全管理上好ましくない。
また、甲状腺用防護具へ線量計を装着しにくいため、装着がされないことも危惧されるほか、頭頸部の線量計の装着位置がその都度変わるとすれば、測定する値の不安定化を招くことともなり得、好ましくない。
【０００４】
特許文献１には、「放射線防護服の表面に、柔軟な透明シートを当てがい当該シートの全外周を前記防護服表面に接着等により固着する一方、前記透明シートの外周に囲まれた当該防護服の生地に、その防護服の裏面から表面に通じるＡＰＤ出入れ口を形成したことを特徴とするＡＰＤ収容部付き放射線防護服。」が記載されているが、バッジ式の線量計の装着に関する視点、甲状腺用防護具の使用に関する視点はまったくない。
【先行技術文献】
【特許文献】
【０００５】
【特許文献１】登録実用新案第３１８０６３４号公報
【考案の概要】
【考案が解決しようとする課題】
【０００６】
本考案は、上記背景技術に鑑み考案されたもので、甲状腺を防護し得る放射線防護具にバッジ式の線量計を装着するにあたり、防護具さらには内部の遮へい素材を傷めず、簡便かつ確実に線量計を装着使用することができる放射線防護具を提供することを課題とする。
【課題を解決するための手段】
【０００７】
（１）内部に放射線遮へい層を備えるとともに、甲状腺の部位を覆う甲状腺防護部と身体に装着するための首巻部とを備えた放射線防護具において、
前記放射線防護具の前記首巻部ないしその近傍の外側に、線量計が保持される線量計装着部を設けてなる、放射線防護具である。
（２）前記線量計装着部は、左右両側に設けられているものである。
（３）前記線量計装着部は、ベルトループ状、フラップ状又はポケット状（袋状）に形成されてなるものである。
【考案の効果】
【０００８】
（１）放射線防護具の首巻部ないしその近傍の外側に、線量計が保持される線量計装着部を設けたため、放射線防護具にバッジ式の線量計を装着するにあたり、線量計を線量計装着部に装着することができ、身体的違和感もなく、防護具を傷めず、簡便かつ確実に装着使用することができる。
線量計装着部を設けたことにより、頭頸部への装着率が向上し、正確な（本来の）線量管理体制がされる手助けともなる。
さらに、線量計の装着位置が固定化されることにより、測定値の安定化、正確性にも寄与し得る。
（２）線量計の装着は、Ｘ線の線源に近い位置（方向）に装着されるべきであるところ、線量計装着部は、左右両側に設けられている構成により、医療手技の内容や状況によって左右いずれか好ましい方を選択し、装着することができる。
（３）線量計装着部は、ベルトループ状、フラップ状又はポケット状に形成されて構成により、製造も簡便である。
【図面の簡単な説明】
【０００９】
【図１】放射線防護具１の展開状態を示す正面図である。
【図２】放射線防護具１の使用状態を示す斜視図である。
【図３】放射線防護具１の斜視図である。
【図４】放射線防護具１の斜視図である。
【図５】放射線防護具１の斜視図である。
【図６】線量計を例示する（ａ）は正面図、（ｂ）は背面図、（ｃ）は底面図である。
【考案を実施するための形態】
【００１０】
内部に放射線遮へい層を備えるとともに、甲状腺の部位を覆う甲状腺防護部と身体に装着するための首巻部とを備えた放射線防護具において、放射線防護具の外側である、首巻部ないしその近傍に、線量計が保持される線量計装着部を設けた。
【実施例】
【００１１】
図１に示す放射線防護具１は、ネックガード状に形成されており、装着時において身体の甲状腺の部位を覆う、幅広の甲状腺防護部３と身体の首部に巻き付けて装着するための幅の狭い首巻部５とを備えている。甲状腺防護部３と首巻部５とは一体的に形成されている。
放射線防護具１は、所定の放射線遮へい性能を有する、鉛等を含有した塩化ビニル樹脂等の放射線遮へい層（シート）内部に備えてなる。例えば、放射線防護具１は、該放射線遮へい層を中間層に有するとともに、該中間層を保護する最内層及び最外層（塩化ビニル樹脂等のシート材）を有して形成される（図示省略）。
放射線防護具１の縁部７は合成樹脂シート等の適宜素材を用いた縁取りテープによって、縫着等の手段で、補強を兼ねた縁取り処理がなされている。
【００１２】
放射線防護具１の首巻部５の外側に、線量計２０が保持される線量計装着部１０が放射線防護具１の本体とは別に設けられている。線量計装着部１０は、左右対称位置に左右両側に設けられている。
図１に示す線量計装着部１０は、ベルトループ状の帯状体でその上下両端部が首巻部５に取り付けられて設けられている。線量計装着部１０は、縫着その他適宜手段により取り付けられて設けられる。
図６に示す線量計２０のクリップ部分２１を線量計装着部１０に通し、保持部分２２，２３で線量計装着部１０を挟むことにより、線量計２０は線量計装着部１０に保持され、装着される。線量計２０を線量計装着部１０に装着した状態を図２に示す。
【００１３】
図３に示す放射線防護具１は、線量計装着部１０が、首巻部５に、フラップ状（ベロ状）片により設けられている例を示す。フラップ状片はその上端部のみ放射線防護具１に取り付けることにより設けることができる。線量計装着部１０は、左右対称位置に左右両側に設けるのが好ましい。線量計２０のクリップ部分２１で線量計装着部１０を挟むことにより、線量計２０は線量計装着部１０に保持され、装着される。
【００１４】
図４に示す放射線防護具１は、線量計装着部１０が、首巻部５に、ポケット状（袋状）に設けられている例を示す。線量計装着部１０は、左右対称位置に左右両側に設けるのが好ましい。この例では図示矢印に示すように横方向に、線量計２０のクリップ部分２１をポケット内へ挿入して挟むことにより、線量計２０は線量計装着部１０に保持され、装着される。
【００１５】
図５は、放射線防護具１が、それぞれ別体をなす、甲状腺防護部３と、詰襟状の首巻部５とが接続されてネックガード状に形成されている例を示す。線量計装着部１０は、ベルトループ状の帯状体でその上下両端部が首巻部５に取り付けられて設けられている。線量計装着部１０は、前記したようなフラップ状又はポケット状に設けることもできる。
【００１６】
以上、実施例を挙げて実施の形態を説明したが、本考案は上記した実施例に限定されるものではなく、本考案の要旨の範囲で適宜、付加、変形等なし得るものである。
【符号の説明】
【００１７】
１  放射線防護具
３  甲状腺防護部
５  首巻部
７  縁部
１０  線量計装着部
２０  線量計
【図１】
0003223602.tif 000003
【図２】
0003223602.tif 000004
【図３】
0003223602.tif 000005
【図４】
0003223602.tif 000006
【図５】
0003223602.tif 000007
【図６】
0003223602.tif 000008